(57)【要約】【課題】ネットワークファクシミリ装置が電子メールにより受信したカラー画像データをカラーで印刷出力できない場合に、出力処理不能でエラーが発生するのを防止すること。【解決手段】本発明のネットワークファクシミリ装置は、１のカラー原稿をカラースキャン及びモノクロスキャンする処理、又は、予め生成されたカラー画像データをモノクロ画像データに変換する処理を行って、カラー画像データ及びモノクロ画像データを生成する手段と、生成された２つの画像データに、前記２つの画像データが１のカラー画像から得られたものであることを示す特性情報を付加した電子メールを生成する手段と、前記２つの画像データのどちらか一方を印刷出力するべく、生成された電子メールを他のネットワークファクシミリ装置へ送信する手段とを備える。【選択図】      図２
2007074015.tif 000002
【特許請求の範囲】
【請求項１】
１のカラー原稿をカラースキャン及びモノクロスキャンする処理、又は、予め生成されたカラー画像データをモノクロ画像データに変換する処理を行って、カラー画像データ及びモノクロ画像データを生成する画像生成手段と、
前記画像生成手段により生成された２つの画像データに、前記２つの画像データが１のカラー画像から得られたものであることを示す特性情報を付加した電子メールを生成するメール生成手段と、
前記２つの画像データのどちらか一方を印刷出力するべく、前記メール生成手段により生成された電子メールを他のネットワークファクシミリ装置へ送信する送信手段とを備えることを特徴とするネットワークファクシミリ装置。
【請求項２】
前記特性情報は、前記電子メールが前記２つの画像データを含むことを示す通知情報と、前記２つの画像データのどちらか一方を印刷出力する旨の指示を表す指示情報とからなるものであることを特徴とする請求項１記載のネットワークファクシミリ装置。
【請求項３】
前記画像生成手段は、前記カラー画像データ及びモノクロ画像データを相異なる画像形式で生成し、
前記特性情報は、前記２つの画像データのファイル名及び拡張子を含み、
前記２つの画像データのファイル名は、同一の文字列であり、
前記２つの画像データの拡張子は、それぞれ、前記各画像形式に対応して予め設定された相異なる文字列であることを特徴とする請求項１記載のネットワークファクシミリ装置。
【請求項４】
前記特性情報は、前記２つの画像データのファイル名を含み、
前記２つの画像データのファイル名は、それぞれ、第１パート及び第２パートから構成され、
前記２つの画像データのファイル名の第１パートは、同一の文字列であり、
前記２つの画像データのファイル名の第２パートは、それぞれ、予め設定された相異なる文字列であることを特徴とする請求項１記載のネットワークファクシミリ装置。
【請求項５】
ネットワークファクシミリ装置と、前記ネットワークファクシミリ装置から電子メールにより受信した画像データを印刷出力する他のネットワークファクシミリ装置とが通信可能に接続された画像出力システムであって、
前記ネットワークファクシミリ装置は、１のカラー原稿をカラースキャン及びモノクロスキャンする処理、又は、予め生成されたカラー画像データをモノクロ画像データに変換する処理を行って、カラー画像データ及びモノクロ画像データを生成する画像生成手段と、
前記画像生成手段により生成された２つの画像データに、前記２つの画像データが１のカラー画像から得られたものであることを示す特性情報を付加した電子メールを生成するメール生成手段と、
前記メール生成手段により生成された電子メールを前記他のネットワークファクシミリ装置へ送信する送信手段とを備え、
前記他のネットワークファクシミリ装置は、前記送信手段により送信された電子メールを受信する受信手段と、
前記特性情報に基づいて、前記受信手段により受信された電子メールに含まれているカラー画像データとモノクロ画像データとを判別する判別手段と、
自装置がカラー画像データを印刷出力可能であるか否かに基づいて、前記判別手段により判別されたカラー画像データ及びモノクロ画像データのどちらか一方を印刷出力する印刷出力手段とを備えることを特徴とする画像出力システム。
【請求項６】
ネットワークファクシミリ装置から他のネットワークファクシミリ装置へ、電子メールにて画像データを送信し、前記他のネットワークファクシミリ装置が、受信した電子メールに含まれている画像データを印刷出力する画像出力方法であって、
前記ネットワークファクシミリ装置が、１のカラー原稿をカラースキャン及びモノクロスキャンする処理、又は、予め生成されたカラー画像データをモノクロ画像データに変換する処理を行って、カラー画像データ及びモノクロ画像データを生成するステップと、
前記生成された２つの画像データに、前記２つの画像データが１のカラー画像から得られたものであることを示す特性情報を付加した電子メールを生成するステップと、
前記生成された電子メールを前記他のネットワークファクシミリ装置へ送信するステップとを実行し、
前記他のネットワークファクシミリ装置が、前記送信された電子メールを受信するステップと、
前記受信した電子メールに含まれている前記特性情報に基づいて、前記受信した電子メールに含まれているカラー画像データとモノクロ画像データとを判別するステップと、
自装置がカラー画像データを印刷出力可能であるか否かに基づいて、前記判別されたカラー画像データ及びモノクロ画像データのどちらか一方を印刷出力するステップとを実行することを特徴とする画像出力方法。
【発明の詳細な説明】
【技術分野】
【０００１】
本発明は、電子メールを利用して画像データを送受信する機能を備えるネットワークファクシミリ装置、画像出力システム、及び画像出力方法に関する。
【背景技術】
【０００２】
電子メールの添付ファイルとして送信された原稿の画像データを受信して印刷出力するネットワークファクシミリ装置の中には、受信した電子メールに添付されている画像データを、カラー印刷及びモノクロ（白黒）印刷することができるものがある（例えば、特許文献１参照）。
【０００３】
特許文献１に記載のネットワークファクシミリ装置は、受信した電子メールに添付されている画像データを印刷出力する際に、受信した電子メールのヘッダ情報に、重要度が高い又は緊急性を有する旨の情報が含まれている場合には、添付されている画像データをカラーで印刷出力し、重要度が高い又は緊急性を有する旨の情報が含まれていない場合には、添付されている画像データをモノクロで印刷出力する処理を行う。これにより、ネットワークファクシミリ装置のユーザは、重要度の高い受信原稿とその他の受信原稿とを容易に識別することができる。
【特許文献１】特開２００４−３１２２１５号公報
【発明の開示】
【発明が解決しようとする課題】
【０００４】
ところが、従来のネットワークファクシミリ装置の中には、特許文献１に記載のネットワークファクシミリ装置とは異なり、画像データをカラーで印刷出力することができないものも存在している。そのため、このような従来のネットワークファクシミリ装置では、カラー画像データが添付された電子メールを受信した場合に、添付されているカラー画像データをカラーで印刷出力することができず、出力処理不能によりエラーが発生する場合があった。
【０００５】
本発明は、かかる課題に鑑みてなされたものであり、ネットワークファクシミリ装置が電子メールにより受信したカラー画像データをカラーで印刷出力できない場合に、出力処理不能でエラーが発生するのを防止することを目的とする。
【課題を解決するための手段】
【０００６】
請求項１記載のネットワークファクシミリ装置は、１のカラー原稿をカラースキャン及びモノクロスキャンする処理、又は、予め生成されたカラー画像データをモノクロ画像データに変換する処理を行って、カラー画像データ及びモノクロ画像データを生成する画像生成手段と、前記画像生成手段により生成された２つの画像データに、前記２つの画像データが１のカラー画像から得られたものであることを示す特性情報を付加した電子メールを生成するメール生成手段と、前記２つの画像データのどちらか一方を印刷出力するべく、前記メール生成手段により生成された電子メールを他のネットワークファクシミリ装置へ送信する送信手段とを備えることを特徴としている。
【０００７】
上記構成によれば、画像生成手段により、１のカラー画像のカラー画像データ及びモノクロ画像データが生成される。そして、メール生成手段により、生成された２つの画像データ（カラー画像データ及びモノクロ画像データ）に、２つの画像データが１のカラー画像から得られたものであることを示す特性情報を付加した電子メールが生成され、送信手段により、２つの画像データのどちらか一方を印刷出力するべく、生成された電子メールが他のネットワークファクシミリ装置へ送信される。
【０００８】
したがって、１のカラー画像のカラー画像データ及びモノクロ画像データが特性情報と共に他のネットワークファクシミリ装置へ送信されるため、他のネットワークファクシミリ装置は、受信した電子メールに含まれている特性情報に基づいて、１のカラー画像のカラー画像データの代わりに、１のカラー画像のモノクロ画像データをモノクロで印刷出力することが可能となる。そのため、他のネットワークファクシミリ装置が電子メールにより受信したカラー画像データをカラーで印刷出力できない場合に、出力処理不能でエラーが発生することが防止される。
【０００９】
請求項２記載のネットワークファクシミリ装置は、請求項１に記載のネットワークファクシミリ装置において、前記特性情報は、前記電子メールが前記２つの画像データを含むことを示す通知情報と、前記２つの画像データのどちらか一方を印刷出力する旨の指示を表す指示情報とからなるものであることを特徴としている。
【００１０】
上記構成によれば、メール生成手段により、電子メールが２つの画像データを含むことを示す通知情報と、２つの画像データのどちらか一方を印刷出力する旨の指示を表す指示情報とからなる特性情報が２つの画像データに付加された電子メールが生成される。そして、送信手段により、生成された電子メールが他のネットワークファクシミリ装置へ送信される。
【００１１】
したがって、他のネットワークファクシミリ装置は、通知情報により、受信した電子メールに１のカラー画像のカラー画像データとモノクロ画像データが含まれていることを容易に認識することが可能となり、指示情報により、２つの画像データのどちらか一方を印刷出力する処理の実行が指示されたことを容易に認識することが可能となる。
【００１２】
請求項３記載のネットワークファクシミリ装置は、請求項１に記載のネットワークファクシミリ装置において、前記画像生成手段は、前記カラー画像データ及びモノクロ画像データを相異なる画像形式で生成し、前記特性情報は、前記２つの画像データのファイル名及び拡張子を含み、前記２つの画像データのファイル名は、同一の文字列であり、前記２つの画像データの拡張子は、それぞれ、前記各画像形式に対応して予め設定された相異なる文字列であることを特徴としている。
【００１３】
上記構成によれば、画像生成手段により、画像形式が相異なるカラー画像データ及びモノクロ画像データが生成される。そして、メール生成手段により、同一の文字列である、２つの画像データのファイル名と、２つの画像データの各画像形式に対応して予め設定された相異なる文字列である、２つの画像データの拡張子とが特性情報として２つの画像データに付加された電子メールが生成され、送信手段により、生成された電子メールが他のネットワークファクシミリ装置へ送信される。
【００１４】
したがって、他のネットワークファクシミリ装置は、受信した電子メールに特性情報として含まれている、２つの画像データのファイル名が同一であることから、２つの画像データが１のカラー画像のカラー画像データとモノクロ画像データであることを容易に認識することが可能となる。また、受信した電子メールに特性情報として含まれている、２つの画像データの拡張子に基づいて、２つの画像データをカラー画像データとモノクロ画像データとに容易に判別することが可能となる。
【００１５】
請求項４記載のネットワークファクシミリ装置は、請求項１に記載のネットワークファクシミリ装置において、前記特性情報は、前記２つの画像データのファイル名を含み、前記２つの画像データのファイル名は、それぞれ、第１パート及び第２パートから構成され、前記２つの画像データのファイル名の第１パートは、同一の文字列であり、前記２つの画像データのファイル名の第２パートは、それぞれ、予め設定された相異なる文字列であることを特徴としている。
【００１６】
上記構成によれば、メール生成手段により、第１パートが同一の文字列であり、第２パートが、それぞれ、予め設定された相異なる文字列である、２つの画像データのファイル名が、特性情報として２つの画像データに付加された電子メールが生成され、送信手段により、生成された電子メールが他のネットワークファクシミリ装置へ送信される。
【００１７】
したがって、他のネットワークファクシミリ装置は、受信した電子メールに特性情報として含まれている、２つの画像データのファイル名の第１パートに基づいて、２つの画像データが１のカラー画像のカラー画像データとモノクロ画像データであることを容易に認識することが可能となる。また、受信した電子メールに特性情報として含まれている、２つの画像データのファイル名の第２パートに基づいて、２つの画像データをカラー画像データとモノクロ画像データとに容易に判別することが可能となる。
【００１８】
請求項５記載の画像出力システムは、ネットワークファクシミリ装置と、前記ネットワークファクシミリ装置から電子メールにより受信した画像データを印刷出力する他のネットワークファクシミリ装置とが通信可能に接続された画像出力システムであって、前記ネットワークファクシミリ装置は、１のカラー原稿をカラースキャン及びモノクロスキャンする処理、又は、予め生成されたカラー画像データをモノクロ画像データに変換する処理を行って、カラー画像データ及びモノクロ画像データを生成する画像生成手段と、前記画像生成手段により生成された２つの画像データに、前記２つの画像データが１のカラー画像から得られたものであることを示す特性情報を付加した電子メールを生成するメール生成手段と、前記メール生成手段により生成された電子メールを前記他のネットワークファクシミリ装置へ送信する送信手段とを備え、前記他のネットワークファクシミリ装置は、前記送信手段により送信された電子メールを受信する受信手段と、前記特性情報に基づいて、前記受信手段により受信された電子メールに含まれているカラー画像データとモノクロ画像データとを判別する判別手段と、自装置がカラー画像データを印刷出力可能であるか否かに基づいて、前記判別手段により判別されたカラー画像データ及びモノクロ画像データのどちらか一方を印刷出力する印刷出力手段とを備えることを特徴としている。
【００１９】
上記構成によれば、ネットワークファクシミリ装置では、画像生成手段により、１のカラー画像のカラー画像データ及びモノクロ画像データが生成される。そして、メール生成手段により、生成された２つの画像データに、２つの画像データが１のカラー画像から得られたものであることを示す特性情報を付加した電子メールが生成され、送信手段により、２つの画像データのどちらか一方を印刷出力するべく、生成された電子メールが他のネットワークファクシミリ装置へ送信される。
【００２０】
そして、他のネットワークファクシミリ装置では、受信手段により、ネットワークファクシミリ装置から送信された電子メールが受信される。続いて、判別手段により、特性情報に基づいて、受信された電子メールに含まれている２つの画像データがカラー画像データとモノクロ画像データとに判別され、印刷出力手段により、判別されたカラー画像データ及びモノクロ画像データのどちらか一方が印刷出力される。
【００２１】
したがって、ネットワークファクシミリ装置から１のカラー画像のカラー画像データ及びモノクロ画像データが特性情報と共に他のネットワークファクシミリ装置へ送信され、他のネットワークファクシミリ装置は、受信した電子メールに含まれている特性情報に基づいて、１のカラー画像のカラー画像データの代わりに、１のカラー画像のモノクロ画像データをモノクロで印刷出力することが可能となる。そのため、他のネットワークファクシミリ装置が電子メールにより受信したカラー画像データをカラーで印刷出力できない場合に、出力処理不能でエラーが発生することが防止される。
【００２２】
請求項６記載の画像出力方法は、ネットワークファクシミリ装置から他のネットワークファクシミリ装置へ、電子メールにて画像データを送信し、前記他のネットワークファクシミリ装置が、受信した電子メールに含まれている画像データを印刷出力する画像出力方法であって、前記ネットワークファクシミリ装置が、１のカラー原稿をカラースキャン及びモノクロスキャンする処理、又は、予め生成されたカラー画像データをモノクロ画像データに変換する処理を行って、カラー画像データ及びモノクロ画像データを生成するステップと、前記生成された２つの画像データに、前記２つの画像データが１のカラー画像から得られたものであることを示す特性情報を付加した電子メールを生成するステップと、前記生成された電子メールを前記他のネットワークファクシミリ装置へ送信するステップとを実行し、前記他のネットワークファクシミリ装置が、前記送信された電子メールを受信するステップと、前記受信した電子メールに含まれている前記特性情報に基づいて、前記受信した電子メールに含まれているカラー画像データとモノクロ画像データとを判別するステップと、自装置がカラー画像データを印刷出力可能であるか否かに基づいて、前記判別されたカラー画像データ及びモノクロ画像データのどちらか一方を印刷出力するステップとを実行することを特徴としている。
【００２３】
上記構成によれば、ネットワークファクシミリ装置では、１のカラー画像のカラー画像データ及びモノクロ画像データが生成される。そして、生成された２つの画像データに、２つの画像データが１のカラー画像から得られたものであることを示す特性情報を付加した電子メールが生成され、２つの画像データのどちらか一方を印刷出力するべく、生成された電子メールが他のネットワークファクシミリ装置へ送信される。
【００２４】
そして、他のネットワークファクシミリ装置では、ネットワークファクシミリ装置から送信された電子メールが受信される。続いて、受信された電子メールに含まれている特性情報に基づいて、受信された電子メールに含まれている２つの画像データがカラー画像データとモノクロ画像データとに判別され、判別されたカラー画像データ及びモノクロ画像データのどちらか一方が印刷出力される。
【００２５】
したがって、ネットワークファクシミリ装置から１のカラー画像のカラー画像データ及びモノクロ画像データが特性情報と共に他のネットワークファクシミリ装置へ送信され、他のネットワークファクシミリ装置は、受信した電子メールに含まれている特性情報に基づいて、１のカラー画像のカラー画像データの代わりに、１のカラー画像のモノクロ画像データをモノクロで印刷出力することが可能となる。そのため、他のネットワークファクシミリ装置が電子メールにより受信したカラー画像データをカラーで印刷出力できない場合に、出力処理不能でエラーが発生することが防止される。
【発明の効果】
【００２６】
請求項１に記載のネットワークファクシミリ装置によれば、１のカラー画像のカラー画像データ及びモノクロ画像データが特性情報と共に他のネットワークファクシミリ装置へ送信されるため、他のネットワークファクシミリ装置は、受信した電子メールに含まれている特性情報に基づいて、１のカラー画像のカラー画像データの代わりに、１のカラー画像のモノクロ画像データをモノクロで印刷出力することができる。そのため、他のネットワークファクシミリ装置が電子メールにより受信したカラー画像データをカラーで印刷出力できない場合に、出力処理不能でエラーが発生することを防止できる。
【００２７】
また、他のネットワークファクシミリ装置に対して電子メールにより画像データを送信するネットワークファクシミリ装置において、電子メールを受信する他のネットワークファクシミリ装置のカラー画像データの印刷処理能力の有無を考慮して画像形式を選択する（カラー画像データを送信するか、モノクロ画像データを送信するかを切り替える）必要がないという利点がある。
【００２８】
請求項２に記載のネットワークファクシミリ装置によれば、他のネットワークファクシミリ装置が、通知情報により、受信した電子メールに１のカラー画像のカラー画像データ及びモノクロ画像データが含まれていることを容易に認識することができ、指示情報により、２つの画像データのどちらか一方を印刷出力する処理の実行が指示されたことを容易に認識することができるという利点がある。
【００２９】
請求項３に記載のネットワークファクシミリ装置によれば、他のネットワークファクシミリ装置が、受信した電子メールに特性情報として含まれている、２つの画像データのファイル名が同一であることから、２つの画像データが１のカラー画像のカラー画像データとモノクロ画像データであることを容易に認識することができる。また、受信した電子メールに特性情報として含まれている、２つの画像データの拡張子に基づいて、２つの画像データをカラー画像データとモノクロ画像データとに容易に判別することができる。
【００３０】
請求項４に記載のネットワークファクシミリ装置によれば、他のネットワークファクシミリ装置が、受信した電子メールに特性情報として含まれている、２つの画像データのファイル名の第１パートに基づいて、２つの画像データが１のカラー画像のカラー画像データとモノクロ画像データであることを容易に認識することができる。また、受信した電子メールに特性情報として含まれている、２つの画像データのファイル名の第２パートに基づいて、２つの画像データをカラー画像データとモノクロ画像データとに容易に判別することができる。
【００３１】
請求項５に記載の画像出力システム、及び、請求項６に記載の画像出力方法によれば、ネットワークファクシミリ装置から１のカラー画像のカラー画像データ及びモノクロ画像データが特性情報と共に他のネットワークファクシミリ装置へ送信され、他のネットワークファクシミリ装置は、受信した電子メールに含まれている特性情報に基づいて、１のカラー画像のカラー画像データの代わりに、１のカラー画像のモノクロ画像データをモノクロで印刷出力することができる。そのため、他のネットワークファクシミリ装置が電子メールにより受信したカラー画像データをカラーで印刷出力できない場合に、出力処理不能でエラーが発生することが防止される。
【００３２】
また、他のネットワークファクシミリ装置に対して電子メールにより画像データを送信するネットワークファクシミリ装置において、電子メールを受信する他のネットワークファクシミリ装置のカラー画像データの印刷処理能力の有無を考慮して画像形式を選択する（カラー画像データを送信するか、モノクロ画像データを送信するかを切り替える）必要がないという利点がある。
【発明を実施するための最良の形態】
【００３３】
以下、本発明の実施の形態に係るネットワークファクシミリ装置、画像出力システム、及び、画像出力方法について、図面に基づき説明する。図１は、本発明の実施の形態に係る画像出力システムの構成例を示したブロック図である。この画像出力システムは、ネットワークファクシミリ装置１と、ネットワークファクシミリ装置１から電子メールにより受信した画像データを印刷出力するインターネットファクシミリ装置２（他のネットワークファクシミリ装置に相当する）とが通信可能に接続されてなるものである。
【００３４】
ネットワークファクシミリ装置１は、図示するように、制御部（ＣＰＵ：Central Processing Unit）４、ＲＯＭ（Read Only Memory）５、ＲＡＭ（Random Access Memory）６、原稿読取部７、コーデック（ＣＯＤＥＣ：Coder and Decoder）８、画像メモリ９、記録部１０、操作部１１、表示部１２、モデム１３、ＮＣＵ（Network Control Unit）１４、及び、ＬＡＮ Ｉ／Ｆ（Local Area Network Interface）１５を備えたものであって、各部４乃至１５は、バス１６によって通信可能に接続されている。
【００３５】
制御部４は、ＲＯＭ５に格納されている制御プログラムに従って、このネットワークファクシミリ装置１を構成する各部を制御する。ＲＯＭ５は、制御部４によってネットワークファクシミリ装置１の各部が制御されるための各種制御プログラムを格納している。ＲＡＭ６は、制御部４の主メモリ、ワークエリア等として機能する。
【００３６】
原稿読取部７（画像生成手段の一部）は、原稿の画像を読み取って画像データを生成するものであり、図示しないがＣＣＤカラーラインセンサや光源等の光学系を備えるフラットベッドスキャナ（ＦＢＳ：Flat Bed Scanner）や、自動原稿給送装置（ＡＤＦ：Automatic Document Feeder）等の原稿供給機構等を有して構成されている。この原稿読取部７で読み取られた画像データ（ここでは、ＲＧＢ表色系の画像データ）は、例えば、ＹＣｒＣｂ表色系の画像データに色空間変換された後、コーデック８へ入力される。
【００３７】
コーデック８（画像生成手段の一部）は、画像データを符号化及び復号するものである。具体的には、原稿読取部７で原稿から読み取られた画像データをＪＰＥＧ（Joint Photographic Experts Group）、ＭＨ（Modified Huffman）、ＭＲ（Modified Read）、ＭＭＲ（Modified Modified Read）、ＪＢＩＧ（Joint Bi-level Image Group）方式等により符号化し、符号化されている画像データを復号する。なお、コーデック８は、ＪＰＥＧ形式、ＰＤＦ（Portable Document Format）形式、ＴＩＦＦ（Tagged Image File Format）形式等の画像形式にも対応して画像データを符号化、復号する。
【００３８】
画像メモリ９は、コーデック８により符号化された原稿の画像データ、受信した原稿の画像データなどを蓄積する。記録部１０は、画像メモリ９から読み出された後にコーデック８により復号された画像データの画像を用紙に印刷出力するものである。この記録部１０における記録方式としては、例えば、電子写真方式やインクジェット記録方式等の各種の記録方式を用いることができる。
【００３９】
操作部１１は、ユーザが情報を入力する入力キー、タッチパネル等から構成されており、ユーザによる各種の入力操作は、この操作部１１を介して行われる。表示部１２は、例えば操作部１１に並設された、各種の設定状態やネットワークファクシミリ装置１の動作状態などを文字や図形などで表示する液晶表示装置（ＬＣＤ：Liquid Crystal Display）や、点灯又は消灯で表示するＬＥＤランプなどを備えている。
【００４０】
モデム１３は、例えばＩＴＵ−Ｔ（国際電気通信連合電気通信標準化部門）の勧告Ｖ．３４規格又はこれと同様のものに従った送受信データの変調及び復調を行うものである。ＮＣＵ１４は、電話回線を制御して電話をかけたり、切ったりする回線網制御装置であり、ＰＳＴＮ（Public Switched Telephone Network）１８を介して、Ｇ３ファクシミリ装置（不図示）と通信可能に接続されている。
【００４１】
ＬＡＮ Ｉ／Ｆ１５は、ＬＡＮ（Local Area Network）２０とネットワークファクシミリ装置１とを通信可能に接続するものである。ＬＡＮ２０には、メールサーバ２１、ルータ２２が接続されると共に、ルータ２２及びインターネット２３を介してインターネットファクシミリ装置２が接続されている。また、ＬＡＮ２０には、クライアントＰＣ２４が接続されており、クライアントＰＣ２４からネットワークファクシミリ装置１が有する各種機能を利用することができるようになっている。
【００４２】
上記構成を備えるネットワークファクシミリ装置１は、ＰＳＴＮ１８を介してＧ３ファクシミリ装置（不図示）との間で原稿の画像データを送受信するＧ３ファクシミリ通信機能、ＬＡＮ２０及びインターネット２３を介してインターネットファクシミリ装置２との間で電子メールにより原稿の画像データを送受信するインターネットファクシミリ通信機能等を備えている。
【００４３】
図２は、本発明の主要部の一例を示す機能構成図である。ネットワークファクシミリ装置１の制御部４は、機能的に、受付部４ａと、画像生成部４ｂと、画像読出部４ｃと、メール生成部４ｄと、メール送信部４ｅとを備えている。また、ネットワークファクシミリ装置１のＲＡＭ６は、機能的に、画像形式記憶部６ａと、ファイル名記憶部６ｂとを備えている。ここでは、制御部４が、ＲＯＭ５に予め格納されている制御プログラムを読み出して実行することにより、受付部４ａ、画像生成部４ｂ、画像読出部４ｃ、メール生成部４ｄ、及び、メール送信部４ｅを含む機能部として機能すると共に、ＲＡＭ６を、画像形式記憶部６ａ、ファイル名記憶部６ｂを含む機能部として機能させるものである。
【００４４】
受付部４ａは、操作部１１を介して入力された、インターネットファクシミリ装置２の宛先（電子メールアドレス）や、インターネットファクシミリ通信機能による画像データの送信開始の指示などを受け付けるものである。
【００４５】
画像生成部４ｂ（画像生成手段の一部）は、本実施形態においては、予め生成されたカラー画像データをモノクロ画像データに変換する処理を行って、カラー画像データ及びモノクロ画像データを生成するものである。
【００４６】
画像生成部４ｂは、具体的には、原稿読取部７に１のカラー原稿の読み取りを行わせると共に、コーデック８に原稿読取部７で読み取られた画像データを符号化する処理を行わせてカラー画像データを生成し、生成したカラー画像データをカラー画像ファイルとして画像メモリ９に格納する。そして、このようにして予め生成されたカラー画像データをモノクロ画像データに変換する処理を行ってモノクロ画像データを生成し、生成したモノクロ画像データをモノクロ画像ファイルとして画像メモリ９に格納する。
【００４７】
ここで、カラー画像データをモノクロ画像データに変換する処理としては、画像メモリ９に格納されたカラー画像データをコーデック８により復号し、復号されたＹＣｒＣｂ表色系の画像データのＹ成分のみを抽出し、抽出した画像データをコーデック８により符号化してモノクロ画像データを生成する処理が挙げられる。
【００４８】
なお、本実施形態においては、予め生成されたカラー画像データが、原稿読取部７によるカラー原稿の読み取りに基づいて生成されたものである場合について説明するが、予め生成されたカラー画像データは、他の装置（例えば、クライアントＰＣ２４）で生成されたカラー画像データであってもよい。
【００４９】
また、画像生成部４ｂがカラー画像データをモノクロ画像データに変換する機能を備えていない場合には、原稿読取部７により１のカラー原稿をカラースキャン及びモノクロスキャンする処理を行って、カラー画像データ及びモノクロ画像データを生成するようにすればよい。すなわち、画像生成部４ｂは、１のカラー原稿をカラースキャンする処理と、１のカラー原稿をモノクロスキャンする処理と、の２回のスキャンを原稿読取部７に行わせて、これらのスキャンで得られた画像データをコーデック８によりそれぞれ符号化してカラー画像データ及びモノクロ画像データを生成する。この場合、カラー画像データをモノクロ画像データに変換する処理が簡略化されるので、好適である。
【００５０】
画像読出部４ｃは、画像生成部４ｂにより生成された後に画像メモリ９に格納されたカラー画像データ及びモノクロ画像データを読み出すものである。
【００５１】
メール生成部４ｄ（メール生成手段に相当する）は、画像生成部４ｂにより生成された２つの画像データ、ここでは、画像読出部４ｃにより画像メモリ９から読み出されたカラー画像データ及びモノクロ画像データに、前記２つの画像データが１のカラー画像から得られたものであることを示す特性情報を付加した電子メールを生成するものである。メール生成部４ｄは、具体的には、カラー画像データとモノクロ画像データを各パートとした、ＭＩＭＥ（Multipurpose Internet Mail Extensions）のマルチパートメール（multipart mail）を生成し、生成したマルチパートメールの例えばヘッダに特性情報を含める処理を行う。なお、本実施形態においては、原稿読取部７によって読み取られた１のカラー原稿の画像に基づいてカラー画像データ及びモノクロ画像データが生成されるため、前記１のカラー画像から得られたものであることを示す特性情報は、ここでは、１のカラー原稿から得られたものであることを示す情報である。
【００５２】
メール送信部４ｅ（送信手段に相当する）は、画像生成部４ｂにより生成された２つの画像データのどちらか一方を印刷出力するべく、メール生成部４ｄにより生成された電子メール（マルチパートメール）をインターネットファクシミリ装置２へ送信するものである。具体的には、メール生成部４ｄにより生成された電子メールを、ＬＡＮ Ｉ／Ｆ１５、ＬＡＮ２０、及びインターネット２３を介してインターネットファクシミリ装置２へ送信する。
【００５３】
画像形式記憶部６ａは、画像生成部４ｂにより生成されるカラー画像データ及びモノクロ画像データの画像形式を格納するものである。本実施形態においては、この画像形式記憶部６ａに、カラー画像データの画像形式として、ＪＰＥＧ形式とＰＤＦ形式が、モノクロ画像データの画像形式として、ＴＩＦＦ形式が操作部１１を介して入力された入力情報に基づいて予め設定されている。したがって、上記のように画像生成部４ｂによりカラー画像データ及びモノクロ画像データが生成される際には、画像生成部４ｂは、ＪＰＥＧ形式又はＰＤＦ形式のカラー画像データを生成し、ＴＩＦＦ形式のモノクロ画像データを生成する。なお、本実施形態においては、カラー画像データとモノクロ画像データの画像形式として上記３種類の画像形式が設定されている場合について説明するが、他の画像形式を設定しておいてもよい。
【００５４】
ファイル名記憶部６ｂは、メール送信部４ｅによりインターネットファクシミリ装置２へ送信される電子メールに添付されるカラー画像データ及びモノクロ画像データに付与されるファイル名をそれぞれ格納するものである。メール生成部４ｄは、画像生成部４ｂにより生成された２つの画像データ（カラー画像データ及びモノクロ画像データ）に対してファイル名記憶部６ｂに予め設定されているファイル名を付与するとともに、２つの画像データが１のカラー画像から得られたものであることを示す特性情報を付加した電子メールを生成する。
【００５５】
一方、インターネットファクシミリ装置２は、図示しないが、ＣＰＵ、ＲＯＭ、ＲＡＭ、プリンタ等を有しており、機能的に、メール受信部２ａと、判別処理部２ｂと、設定情報記憶部２ｃと、印刷実行部２ｄとを備えている。ここでは、インターネットファクシミリ装置２のＣＰＵが、ＲＯＭに予め格納された制御プログラムを読み出して実行することにより、メール受信部２ａ、判別処理部２ｂ、設定情報記憶部２ｃ、及び、印刷実行部２ｄを含む機能部として機能する。
【００５６】
メール受信部２ａ（受信手段に相当する）は、ネットワークファクシミリ装置１のメール送信部４ｅから送信された電子メールを受信するものである。具体的には、カラー画像データ及びモノクロ画像データに、これら２つの画像データが１のカラー画像から得られたものであることを示す特性情報が付加された電子メールを、ネットワークファクシミリ装置１のメール送信部４ｅから受信するものである。
【００５７】
判別処理部２ｂ（判別手段に相当する）は、メール受信部２ａにより受信された電子メールに含まれている特性情報に基づいて、メール受信部２ａにより受信された電子メールに含まれているカラー画像データとモノクロ画像データとを判別するものである。すなわち、メール受信部２ａにより受信された電子メールに含まれている２つの画像データのどちらがカラー画像データで、どちらがモノクロ画像データであるかを判別する。
【００５８】
設定情報記憶部２ｃは、判別処理部２ｂが、メール受信部２ａにより受信された電子メールに含まれているカラー画像データとモノクロ画像データを判別する処理に必要な設定情報を予め格納するものである。本実施形態においては、メール受信部２ａにより受信された電子メール（マルチパートメール）の各パートのサイズに基づいて、カラー画像データとモノクロ画像データとを判別する旨の設定情報がこの設定情報記憶部２ｃに予め設定されている。
【００５９】
したがって、判別処理部２ｂは、設定情報記憶部２ｃに予め設定されている設定情報に従って、メール受信部２ａにより受信された電子メールの２つのパート（カラー画像データを含むパートと、モノクロ画像データを含むパート）の長さに基づいて各パートのサイズ（データサイズ）を比較する処理を行う。そして、サイズが大きい方のパートに含まれているデータがカラー画像データであると判別し、サイズが小さい方のパートに含まれているデータがモノクロ画像データであると判別する処理を行うことにより、メール受信部２ａにより受信された電子メールに含まれているカラー画像データとモノクロ画像データとを判別する。
【００６０】
印刷実行部２ｄ（印刷出力手段に相当する）は、自装置２がカラー画像データを印刷出力可能であるか否かに基づいて、判別処理部２ｂにより判別されたカラー画像データ及びモノクロ画像データのどちらか一方をプリンタ（不図示）により印刷出力するものである。すなわち、プリンタがカラー画像データのカラー画像を印刷出力することが可能なものである場合には、判別処理部２ｂにより判別されたカラー画像データのカラー画像を印刷出力し、プリンタがカラー画像データのカラー画像を印刷出力することが不可能なものである場合には、判別処理部２ｂにより判別されたモノクロ画像データのモノクロ画像を印刷出力する。
【００６１】
図３（ａ）は、電子メール（マルチパートメール）によりインターネットファクシミリ装置２へ送信される２つの画像データに付加される特性情報について説明するための図である。ネットワークファクシミリ装置１のメール生成部４ｄにより２つの画像データに付加される特性情報は、図示するように、電子メールが２つの画像データを含むことを示す通知情報（ここでは、multipart）と、２つの画像データのどちらか一方を印刷出力する処理の実行を指示する指示情報（ここでは、alternative）と、からなるものである。すなわち、ここでは、特性情報は電子メールのヘッダのContent-Typeに記述されるmultipart/alternativeである。なお、図３（ｂ）、（ｃ）は後述する。
【００６２】
これにより、インターネットファクシミリ装置２のメール受信部２ａは、受信した電子メールに記述されている通知情報（ここでは、multipart）により、受信した電子メールに１のカラー画像のカラー画像データ及びモノクロ画像データが含まれていることを容易に認識することができ、同じく受信した電子メールに記述されている指示情報（ここでは、alternative）により、２つの画像データのどちらか一方を印刷出力する処理の実行が指示されたことを容易に認識することができる。
【００６３】
以下、ネットワークファクシミリ装置１からインターネットファクシミリ装置２へ、電子メールにて画像データを送信する場合に、ネットワークファクシミリ装置１において行われる動作について、図４に示すフローチャートに基づいて説明する。
【００６４】
まず、ネットワークファクシミリ装置１の受付部４ａは、操作部１１を介してインターネットファクシミリ装置２の電子メールアドレスが入力され、操作部１１のスタートキーが押下されたか否かに基づいて、インターネットファクシミリ（ＩＦＡＸ）の送信開始の指示があったか否かを判断する（Ｓ１）。ここで、インターネットファクシミリの送信開始の指示がなかったと判断した場合には（Ｓ１：ＮＯ）、待機状態となる。逆に、インターネットファクシミリの送信開始の指示があったと判断した場合には（Ｓ１：ＹＥＳ）、画像生成部４ｂは、原稿読取部７及びコーデック８を制御して、カラースキャンを行い（Ｓ２）、カラー画像データを生成する（Ｓ３）。そして、生成されたカラー画像データは、画像形式記憶部６ａに予め設定されているカラー画像データの画像形式（例えば、ＪＰＥＧ形式）でカラー画像ファイルとして画像メモリ９に格納される。
【００６５】
次に、画像生成部４ｂは、Ｓ３で生成されたカラー画像データをモノクロ画像データに変換する処理を行い（Ｓ４）、モノクロ画像データを生成する（Ｓ５）。そして、生成されたモノクロ画像データは、画像形式記憶部６ａに予め設定されているモノクロ画像データの画像形式（例えば、ＴＩＦＦ形式）でモノクロ画像ファイルとして画像メモリ９に格納される。但し、ネットワークファクシミリ装置１がカラー画像データをモノクロ画像データに変換する機能を有していない場合には、１のカラー原稿をカラースキャンする処理とモノクロスキャンする処理とを行ってカラー画像データ及びモノクロ画像データを生成する。
【００６６】
このように、ネットワークファクシミリ装置１は、ステップＳ２〜ステップＳ５の動作を実行することにより、１のカラー原稿をカラースキャン及びモノクロスキャンする処理、又は、予め生成されたカラー画像データをモノクロ画像データに変換する処理を行って、カラー画像データ及びモノクロ画像データを生成する。
【００６７】
続いて、画像読出部４ｃは、画像メモリ９に格納されているカラー画像データ及びモノクロ画像データを読み出し、メール生成部４ｄは、読み出されたカラー画像データ及びモノクロ画像データに、特性情報を付加した電子メールを生成する（Ｓ６）。すなわち、画像生成部４ｂにより生成された２つの画像データに、２つの画像データが１のカラー画像から得られたものであることを示す特性情報を付加した電子メールを生成する。なお、ここで２つの画像データに付加される特性情報は、電子メールが２つの画像データを含むことを示す通知情報（ここでは、multipart）と、２つの画像データのどちらか一方を印刷出力する旨の指示を表す指示情報（ここでは、alternative）とからなるものである。そして、メール送信部４ｅは、メール生成部４ｂにより生成された電子メールをインターネットファクシミリ装置２へ送信し（Ｓ７）、処理が終了する。
【００６８】
以下、インターネットファクシミリ装置２が、ネットワークファクシミリ装置１から受信した電子メールに含まれている画像データを印刷出力する場合に、インターネットファクシミリ装置２において行われる動作について、図５に示すフローチャートに基づいて説明する。
【００６９】
インターネットファクシミリ装置２のメール受信部２ａは、まず、特性情報が含まれた電子メールを受信したか否かを判断する（Ｓ１１）。ここで、特性情報が含まれた電子メールを受信していないと判断した場合には（Ｓ１１：ＮＯ）、待機状態となる。逆に、特性情報が含まれた電子メールを受信したと判断した場合（Ｓ１１：ＹＥＳ）、すなわち、ネットワークファクシミリ装置１から送信された電子メールをメール受信部２ａが受信した場合、メール受信部２ａは、通知情報により、受信した電子メールに１のカラー画像のカラー画像データ及びモノクロ画像データが含まれていることを容易に認識することができ、指示情報により、２つの画像データのどちらか一方を印刷出力する処理の実行が指示されたことを容易に認識することができる。
【００７０】
次に、判別処理部２ｂは、カラー画像データとモノクロ画像データとを判別する（Ｓ１２）。このステップＳ１２では、判別処理部２ｂは、具体的には、設定情報記憶部２ｃに予め設定されている設定情報と、メール受信部２ａが受信した電子メールに含まれている特性情報とに基づいて、受信された電子メールの各パートのサイズを比較し、受信された電子メールに含まれているカラー画像データとモノクロ画像データとを判別する処理を行う。具体的には、サイズが大きい方のパートに含まれている画像データをカラー画像データと判別し、サイズが小さい方のパートに含まれている画像データをモノクロ画像データと判別する。
【００７１】
続いて、印刷実行部２ｄは、判別処理部２ｂの判別結果に基づいて、カラー画像データとモノクロ画像データのうち、処理可能な方の画像データを印刷出力する（Ｓ１３）。すなわち、カラー画像データを印刷出力可能である場合にはカラー画像データをカラーで印刷出力し、カラー画像データを印刷出力可能ではない場合にはモノクロ画像データをモノクロで印刷出力する。このように、印刷実行部２ｄは、自装置２がカラー画像データを印刷出力可能であるか否かに基づいて、判別処理部２ｂにより判別されたカラー画像データ及びモノクロ画像データのどちらか一方を印刷出力する。
【００７２】
以上の説明から明らかなように、カラー画像データと、そのカラー画像データに対応するモノクロ画像データとが、特性情報と共に電子メールでネットワークファクシミリ装置１からインターネットファクシミリ装置２へ送信され、インターネットファクシミリ装置２では、自装置２がカラー画像データを印刷出力する能力があるか否かに基づいて、どちらか一方の画像データが印刷出力される。
【００７３】
そのため、インターネットファクシミリ装置２が電子メールにより受信したカラー画像データをカラーで印刷出力できない場合に、出力処理不能でエラーが発生することを防止できる。すなわち、インターネットファクシミリ装置２がカラー画像データをカラーで印刷出力する能力を有していない装置である場合や、インターネットファクシミリ装置２がカラー画像データをカラーで印刷出力する能力を有している装置であるものの、カラーのトナーが切れている場合に、出力処理不能でエラーが発生することを防止できる。
【００７４】
また、画像データを印刷出力するべく、電子メールにてインターネットファクシミリ装置２へ送信するネットワークファクシミリ装置１において、インターネットファクシミリ装置２のカラー画像データの印刷処理能力の有無を考慮して画像形式を選択する（カラー画像データを送信するか、モノクロ画像データを送信するかを切り替える）必要がないという利点がある。
【００７５】
なお、本実施形態においては、判別処理部２ｂが設定情報記憶部２ｃの設定情報に従って、受信された電子メールの各パートのサイズ（データサイズ）を比較し、その比較結果に基づいて、受信された電子メールに添付されている２つの画像データをカラー画像データとモノクロ画像データとに判別する場合について説明したが、電子メールに添付される２つの画像データの画像形式に対応する拡張子に基づいて、カラー画像データとモノクロ画像データとを判別するようにしてもよい。
【００７６】
具体的には、設定情報記憶部２ｃに、カラー画像データの画像形式に対応する拡張子（例えば、ｊｐｇ、ｐｄｆ）、及び、モノクロ画像データの画像形式に対応する拡張子（例えば、ｔｉｆｆ）、言い換えれば、画像形式記憶部６ａに格納されているカラー画像データとモノクロ画像データの画像形式に対応する拡張子、を予め設定しておく。そして、判別処理部２ｂにより、メール受信部２ａにより受信された電子メールに添付されている２つの画像データの拡張子と、設定情報記憶部２ｃに格納されている拡張子とを比較して、カラー画像データとモノクロ画像データとを判別する。
【００７７】
これにより、メール受信部２ａにより受信された電子メールの各パートのサイズではなく、各パートに含まれる画像データの画像形式に対応する拡張子から、受信された電子メールに含まれているカラー画像データとモノクロ画像データとを判別することができ、各パートのサイズを検出する処理を行う必要がないという利点がある。
【００７８】
次に、上記説明した特性情報の第１の変形例について、図３（ｂ）に基づいて以下に説明する。画像生成部４ｂにより生成された２つの画像データに付加される特性情報は、通知情報と指示情報とからなるものに限定されるものではなく、例えば、２つの画像データのファイル名及び拡張子を含むものであってもよい。
【００７９】
このように、２つの画像データに、２つの画像データのファイル名及び拡張子を含む特性情報を付加する場合、画像生成部４ｂは、画像形式記憶部６ａに予め設定されているカラー画像データとモノクロ画像データの画像形式に基づいて、カラー画像データ及びモノクロ画像データを相異なる画像形式で生成する。例えば、ＪＰＥＧ形式のカラー画像データを生成して画像メモリ９に格納すると共に、ＴＩＦＦ形式のモノクロ画像データを生成して画像メモリ９に格納する。
【００８０】
そして、メール生成部４ｄは、画像読出部４ｃによって画像メモリ９から読み出された２つの画像データ（画像生成部４ｂにより生成された１のカラー画像のカラー画像データとモノクロ画像データ）に同一の文字列のファイル名（例えば、「ＡＡＡ」）を付与する。続いて、メール生成部４ｄは、２つの画像データのファイル名「ＡＡＡ」と、２つの画像データの各画像形式に対応して予め設定された相異なる文字列「ｊｐｇ」と「ｔｉｆｆ」を２つの画像データに特性情報として付加する（図３（ｂ）参照）。
【００８１】
すなわち、ここでは、画像生成部４ｂは、カラー画像データ及びモノクロ画像データを相異なる画像形式で生成し、特性情報は、２つの画像データのファイル名及び拡張子を含み、２つの画像データのファイル名は、同一の文字列であり、２つの画像データの拡張子は、それぞれ、各画像形式に対応して予め設定された相異なる文字列である。
【００８２】
このように、ネットワークファクシミリ装置１のメール生成部４ｄにより、２つの画像データに、２つの画像データのファイル名及び拡張子を含む特性情報を付加するようにした場合、インターネットファクシミリ装置２の設定情報記憶部２ｃには、メール受信部２ａにより受信された電子メールの各パートのサイズに基づいて、カラー画像データとモノクロ画像データとを判別する旨の設定情報に代えて、予め設定された、カラー画像データとモノクロ画像データの拡張子を格納しておく。ここでは、カラー画像データに対して予め設定された画像形式に対応する拡張子「ｊｐｇ」、及び、モノクロ画像データに対して予め設定された画像形式に対応する拡張子「ｔｉｆｆ」が格納されている。
【００８３】
これにより、メール受信部２ａは、受信した電子メールに特性情報として含まれている、２つの画像データのファイル名「ＡＡＡ」が同一であることから、２つの画像データが１のカラー画像のカラー画像データとモノクロ画像データであることを容易に認識することができる。また、判別処理部２ｂは、設定情報記憶部２ｃに予め設定されたカラー画像データとモノクロ画像データの拡張子と、メール受信部２ａにより受信された電子メールに特性情報として含まれている、２つの画像データの拡張子とに基づいて、２つの画像データをカラー画像データとモノクロ画像データとに容易に判別することができる。また、上述した各パートのサイズに基づいてカラー画像データとモノクロ画像データとを判別する場合に比べて、カラー画像データとモノクロ画像データとを判別する処理を容易に行うことができる。
【００８４】
次に、上記説明した特性情報の第２の変形例について、図３（ｃ）に基づいて以下に説明する。画像生成部４ｂにより生成された２つの画像データに付加される特性情報は、通知情報と指示情報とからなるものや、上記第１の変形例で説明したものに限定されるものではなく、例えば、２つの画像データのファイル名を含む（拡張子は除く）ものであってもよい。
【００８５】
このように、２つの画像データに、２つの画像データのファイル名を含む特性情報を付加する場合、ファイル名記憶部６ｂに、それぞれ、第１パート及び第２パートから構成される２つの画像データのファイル名を予め設定しておく。例えば、カラー画像データに対しては、「ＡＡＡ−Ｃ」のようなファイル名を、モノクロ画像データに対しては、「ＡＡＡ−Ｍ」のようなファイル名を予め設定しておく。ここで、２つの画像データのファイル名の第１パートは、同一の文字列「ＡＡＡ」であり、２つの画像データのファイル名の第２パートは、それぞれ、予め設定された相異なる文字列「Ｃ」と「Ｍ」である。
【００８６】
そして、メール生成部４ｄは、画像読出部４ｃによって画像メモリ９から読み出された２つの画像データに対して、ファイル名記憶部６ｂに予め設定されているファイル名（カラー画像データに対しては「ＡＡＡ−Ｃ」、モノクロ画像データに対しては「ＡＡＡ−Ｍ」）を付与する。そして、２つの画像データに、これら２つの画像データのファイル名を含む特性情報を付加する（図３（ｃ）参照）。
【００８７】
すなわち、ここでは、２つの画像データに付加される特性情報は、２つの画像データのファイル名を含み、２つの画像データのファイル名は、それぞれ、第１パート及び第２パートから構成され、２つの画像データのファイル名の第１パートは、同一の文字列であり、２つの画像データのファイル名の第２パートは、それぞれ、予め設定された相異なる文字列である。
【００８８】
このように、ネットワークファクシミリ装置１のメール生成部４ｄにより、２つの画像データに、２つの画像データのファイル名を含む特性情報を付加するようにした場合、インターネットファクシミリ装置２の設定情報記憶部２ｃには、メール受信部２ａにより受信された電子メールの各パートのサイズに基づいて、カラー画像データとモノクロ画像データとを判別する旨の設定情報に代えて、予め設定された、メール送信部４ｅから送信されるカラー画像データ及びモノクロ画像データのファイル名の第２パートの文字列を格納しておく。ここでは、カラー画像データのファイル名の第２パートの文字列「Ｃ」、及びモノクロ画像データのファイル名の第２パートの文字列「Ｍ」が予め格納されている。
【００８９】
これにより、メール受信部２ａは、受信した電子メールに特性情報として含まれている、２つの画像データのファイル名の第１パート（ここでは、「ＡＡＡ」）に基づいて、２つの画像データが１のカラー画像のカラー画像データとモノクロ画像データであることを容易に認識することができる。また、判別処理部２ｂは、設定情報記憶部２ｃに予め設定されたカラー画像データとモノクロ画像データのファイル名の第２パートの文字列と、メール受信部２ａにより受信された電子メールに特性情報として含まれている、２つの画像データのファイル名の第２パート（「Ｃ」と「Ｍ」）に基づいて、２つの画像データをカラー画像データとモノクロ画像データとに容易に判別することができる。また、第１の変形例と比べて、ネットワークファクシミリ装置１において、カラー画像データを生成する場合と、モノクロ画像データを生成する場合とで、画像形式を変更する必要がないという利点がある。
【００９０】
なお、本実施形態においては、インターネットファクシミリ装置２が、ネットワークファクシミリ装置１から受信した電子メールに添付されているカラー画像データ及びモノクロ画像データのどちらか一方を印刷出力する場合について説明したが、インターネットファクシミリ装置２が、電子メールにて受信したカラー画像データ及びモノクロ画像データのどちらか一方を外部から視認可能に表示出力するようにしてもよい。
【００９１】
すなわち、インターネットファクシミリ装置２が、カラー画像データのカラー画像を表示可能である場合（例えば、カラーＬＣＤを備えている場合）、カラー画像データのカラー画像を表示出力し、カラー画像データのカラー画像を表示可能ではない場合（例えば、カラーＬＣＤを備えておらず、モノクロＬＣＤを備えている場合）、モノクロ画像データのモノクロ画像を表示出力する。これにより、画像データを表示出力するべく電子メールにてインターネットファクシミリ装置２へ送信するネットワークファクシミリ装置１では、インターネットファクシミリ装置２のカラー画像データの表示処理能力の有無を考慮することなく、画像データを電子メールにてインターネットファクシミリ装置２へ送信して表示出力させることができる。
【００９２】
また、電子メールを受信したインターネットファクシミリ装置２において、画像データを外部から視認可能に表示出力することができず、出力処理不能によりエラーが発生することを防止できる。
【００９３】
また、本実施形態においては、ネットワークファクシミリ装置１とインターネットファクシミリ装置２とがインターネット２３を介して接続される形態について説明したが、これらの装置がインターネット２３を介さず、ＬＡＮ２０を介して接続される形態であってもよい。すなわち、インターネットファクシミリ装置２は、ネットワークファクシミリ装置１とＬＡＮ２０等を介して接続されるネットワークファクシミリ装置であってもよい。
【産業上の利用可能性】
【００９４】
本発明は、例えば、電子メールを利用して画像データを送受信する機能を備えるネットワークファクシミリ装置に適用可能である。
【図面の簡単な説明】
【００９５】
【図１】本発明の実施の形態に係る画像出力システムの構成例を示したブロック図である。
【図２】ネットワークファクシミリ装置とインターネットファクシミリ装置の主要部の一例を示す機能構成図である。
【図３】２つの画像データに付加される特性情報について説明するための図である。
【図４】インターネットファクシミリ装置へ電子メールにて画像データを送信する場合に、ネットワークファクシミリ装置において行われる動作を例示したフローチャートである。
【図５】ネットワークファクシミリ装置から受信した電子メールに含まれている画像データを印刷出力する場合に、インターネットファクシミリ装置において行われる動作を例示したフローチャートである。
【符号の説明】
【００９６】
１    ネットワークファクシミリ装置（画像出力システムの一部）
２    インターネットファクシミリ装置（他のネットワークファクシミリ装置、画像出力システムの一部）
２ａ    メール受信部（受信手段）
２ｂ    判別処理部（判別手段）
２ｄ    印刷実行部（印刷出力手段）
４    制御部
４ｂ    画像生成部（画像生成手段の一部）
４ｄ    メール生成部（メール生成手段）
４ｅ    メール送信部（送信手段）
５    ＲＯＭ
７    原稿読取部（画像生成手段の一部）
８    コーデック（画像生成手段の一部）
【図１】
2007074015.tif 000003
【図２】
2007074015.tif 000004
【図３】
2007074015.tif 000005
【図４】
2007074015.tif 000006
【図５】
2007074015.tif 000007